(57)【特許請求の範囲】
【請求項１】
既設基礎のコンクリート内を基礎延長予定方向に延びるコンクリート芯材の端部に、長ナットが、そのネジ孔の長さ方向の一方部分を螺合させて連結されており、この長ナットは、そのネジ孔の他方部分を延長基礎用の芯材端部連結用のネジ孔部とし、
該長ナットの基礎延長予定方向である先端側に隣接してシアコッター枠が備えられ、該シアコッター枠の両側にコンクリートが打ち込まれ、
シアコッター枠を挟んで長ナットの位置する側に打ち込まれたコンクリート中に前記長ナットが埋込み状態に備えられると共に、該コンクリートの端面がシアコッター面に成形され、
シアコッター枠よりも先端側に打ち込まれたコンクリートによって前記シアコッター面が隠されていることを特徴とする延長対応基礎の構造。
【発明の詳細な説明】
【０００１】
【発明の属する技術分野】
本発明は、延長対応基礎の構造及び基礎延長構造に関する。
【０００２】
【従来の技術】
住宅などの建物の布基礎を増改築のために延長するような場合、従来は、次のような方法が採られていた。即ち、図５（イ）（ロ）に示すように、既設基礎５１の延長方向のコンクリート５２をはつることによって、芯材である鉄筋５３…の端部を露出させ、次いで、図５（ハ）に示すように、延長基礎用の鉄筋５４…を、上記の露出鉄筋５３…の端部に溶接Ｗ…で接合し、そして、延長部分に型枠を組んで、図５（ニ）に示すように、延長基礎用のコンクリート５５を打設することにより、この延長基礎５６のコンクリート５５を、既設基礎５１のコンクリート５２に打ち継ぐ。
【０００３】
【発明が解決しようとする課題】
しかしながら、上記の方法では、既設基礎５１の鉄筋５３…と、延長基礎５６の鉄筋５４…とを溶接Ｗ…で接合しているため、鉄筋５３…，５４…同士の接合に特殊技能と熟練を必要とするのみならず、所要の接合強度を確保するために十分な量の溶接を行わなければならず、そのため、コストが高くつくと共に、工期も長くかかるという問題があった。
【０００４】
また、延長コンクリート５５は、既設コンクリート５２のはつり面５７に打ち継がれるため、これらコンクリート５２，５５同士が必ずしも十分には一体化されない場合があるという問題もあった。
【０００５】
本発明は、上記のような従来の問題点に鑑み、既設基礎からの基礎延長工事を低コスト、短工期にて行うことができ、しかも、延長基礎のコンクリートと既設基礎のコンクリートとの十分な一体化を図ることができる延長対応基礎の構造及び基礎延長構造を提供することを課題とする。
【０００６】
【課題を解決するための手段】
上記の課題は、既設基礎のコンクリート内を基礎延長予定方向に延びるコンクリート芯材の端部に、長ナットが、そのネジ孔の長さ方向の一方部分を螺合させて連結されており、この長ナットは、そのネジ孔の他方部分を延長基礎用の芯材端部連結用のネジ孔部として、既設コンクリートに埋込み状態に備えられていることを特徴とする延長対応基礎の構造によって解決される。
【０００７】
また、既設の基礎コンクリート内を延長基礎方向に延びるコンクリート芯材の端部と、延長された基礎のコンクリート内を既設の基礎に向けて延びるコンクリート芯材の端部とが、長ナットに螺合されて連結されていることを特徴とする基礎延長構造によって解決される。
【０００８】
この構造では、既設基礎のコンクリート芯材と延長基礎のコンクリート芯材とが長ナットでネジ結合により連結されるものであるから、芯材同士の接合に溶接の場合のような特殊技能や熟練、接合機材などを要さず、しかも、芯材同士を長ナットの使用により強度的に強くしっかりと、そして能率良く接合していくことができ、既設基礎からの基礎の延長工事を低コスト、短工期にて容易に行うことができる。
【０００９】
しかも、前者の延長対応基礎の構造では、長ナットが、既設基礎のコンクリート芯材の端部に螺合されてコンクリートに予め埋込み状態にされて備えられているから、基礎延長の工事では、延長基礎のコンクリート芯材を、既設基礎のコンクリート芯材に螺合されている長ナットに螺合させるだけでよく、コンクリート芯材同士を手間を要すことなく能率良く接合することができる。しかも、既設基礎において、そのコンクリート芯材の端部の雄ネジ部は長ナットで保護され、また、長ナットはネジ部を内周に有するものであるからも劣化しにくく、将来的に行われる基礎の延長工事では、既設基礎に予め備えられている長ナットを用いて、コンクリート芯材同士を支障なく強固に連結することができる。なお、既設基礎において、長ナットのネジ孔の端部開口は、キャップで塞いでおくとよい。
【００１０】
上記の構造において、将来的に延長される延長基礎の打設コンクリートと接合される既設基礎のコンクリート面が、延長基礎の打設コンクリートを係合させるシャーコッター面に形成されている場合は、打ち継がれる延長基礎のコンクリートが既設基礎のコンクリートと、特に剪断方向においてしっかりと係合して強固に一体化され、両基礎コンクリート同士の十分な一体化を図ることができる。
【００１１】
既設基礎コンクリートと、延長基礎コンクリートとの接合面において、既設コンクリート側の接合面がシャーコッター面に形成され、このシャーコッター面に係合されるように、延長基礎のコンクリートが打設されている基礎延長構造の場合も同様である。
【００１２】
【発明の実施の形態】
次に、本発明の実施形態を図面に基づいて説明する。
【００１３】
図１に示す実施形態の延長対応の既設布基礎１は、コンクリート２内を基礎延長予定方向に延びる芯材としての各鉄筋３の端部に、雄ネジ部３ａが設けられており、この雄ネジ部３ａのそれぞれに、長ナット４のネジ孔４ａの一方半部が螺合して連結されている。そして、長ナット４の先端側に隣接してシャーコッター枠５が備えられると共に、このシャーコッター枠５と各長ナット４との間に、長ナット４のネジ孔４ａを塞ぐキャップ６が介設され、シャーコッター枠５を挟む両側にコンクリート２ａ，２ｂが打ち込まれて、コンクリート２ａの端面が、凹所８を有するシャーコッター面１３に成形されている。
【００１４】
この延長対応基礎１では、長ナット４やキャップ６等は、シャーコッター枠５よりも先端側に打ち込まれたコンクリート２ｂによって隠され、この基礎１が延長対応基礎であることを構造面から不本意にわからせてしまうのを防ぐことができ、基礎１の体裁を損なわせることがない。なお、シャーコッター枠５は、コンクリート２ａを打ってシャーコッター面１３を成形した後は取り外し、この取外し後に端部側のコンクリート２ｂを打つようにしてもよいし、あるいは、コンクリート２ａ，２ｂ間に残したままにしてもよい。
【００１５】
この延長対応基礎１において、増築により基礎１を延長する場合は、次のようにする。即ち、図２に示すように、端部側のコンクリート２ｂをはつりとり、シャーコッター枠５が存在するときは適宜それを取り外し、また、キャップ６を取り外す。これにより、既設基礎１のはつり面７には、長ナット４のネジ孔４ａが外に開放されると共に、シャーコッター面１３が露出される。シャーコッター枠５をコンクリート２内に存在させておくことで、あるいは、コンクリート２ａの端面を予めシャーコッター枠５でシャーコッター面１３に成形しておくことで、施工において、コンクリート２におけるはつり面７をシャーコッター面１３に容易に一致させることができ、コンクリート２が無用に多くはつられるのを防ぐことができると共に、きれいなはつり面７を形成することができる。
【００１６】
次いで、図３に示すように、延長基礎用の鉄筋９の端部に備えられた雄ネジ部９ａを、既設基礎１のはつり面７に開放された長ナット４のネジ孔４ａに螺合し、既設基礎の鉄筋３と延長基礎の鉄筋９とをネジ結合で連結する。長ナット４は、既設基礎１のコンクリート２内に埋め込まれて既設基礎１と一体化されているため、延長基礎用の鉄筋９の端部雄ネジ部９ａを長ナット４内に差し込み、この鉄筋９を回転していくだけで、既設基礎１内の鉄筋３と適正にネジ接合することができる。溶接等の工程は不要である。なお、延長鉄筋９を回転させずに長ナット４に連結する構造が採用されてもよく、その場合は、延長鉄筋として、溶接鉄筋等の予め組み立てられた組立て鉄筋を用いることができる。
【００１７】
そして、延長基礎用の型枠を組んだ後、図４に示すように、コンクリート１０を打ち込む。打ち込んだコンクリート１０は、既設基礎１のはつり面７の凹所８内にも入り込んで、既設基礎１のコンクリート２と、延長基礎１１のコンクリート１０とは強固に一体化され、剪断力の作用に対し、それに強固に耐えることができる。こうして、既設基礎１が延長基礎１１によって延長される。
【００１８】
以上に、本発明の実施形態を示したが、本発明はこれに限られるものではなく、発明思想を逸脱しない範囲で、各種の変更が可能である。例えば、上記の実施形態では、コンクリート中の芯材が通常の鉄筋材からなる場合を示しているが、その他の各種芯材が用いられてもよい。また、延長対応の既設基礎１において長ナット４のネジ孔４ａを保護するために備えられるキャップとして、各種構成態様のものが用いられてよいし、このキャップに、はつり面での接合位置の目印となるような部分を備えさせるようにしてもよい。また、延長対応基礎には、長ナットを予め備えさせることをせず、基礎延長工事の際に、はつり後、別途用意した長ナットを用いて、既設基礎の鉄筋と延長基礎の鉄筋とを螺合連結するというようにしてもよい。
【００１９】
【発明の効果】
上述の次第で、本発明は、以上のとおりのものであるから、既設基礎からの基礎の延長工事を低コスト、短工期にて容易に行うことができ、しかも、延長基礎のコンクリートと既設基礎のコンクリートとの十分な一体化を図ることができる。
【図面の簡単な説明】
【図１】実施形態の延長対応基礎の構造を示す断面側面図である。
【図２】延長対応既設基礎のシャーコッター面を示す斜視図である。
【図３】図（イ）は延長基礎用の鉄筋を既設基礎のコンクリート内の鉄筋と接合するところを示す斜視図、図（ロ）は鉄筋同士の接合部を分離状態にして示す斜視図である。
【図４】コンクリートを打ち込んで延長基礎を形成したところを示す断面側面図である。
【図５】図（イ）乃至図（ニ）は従来の基礎延長工法を順次に示す断面側面図である。
【符号の説明】
１…延長対応基礎
２…コンクリート
３…鉄筋（コンクリート芯材）
３ａ…雄ネジ部
４…長ナット
４ａ…ネジ孔
７…はつり面
９…鉄筋（コンクリート芯材）
９ａ…雄ネジ部
１０…コンクリート
１１…延長基礎
１３…シャーコッター面
【図１】
0004376374.tif 000002
【図２】
0004376374.tif 000003
【図３】
0004376374.tif 000004
【図４】
0004376374.tif 000005
【図５】
0004376374.tif 000006